(57)【特許請求の範囲】
【請求項１】
上方付勢状態で下方移動可能に立設されたステムを有する吐出機構と、
前記ステムに装着される押下ヘッドと、を備える吐出器であって、
前記押下ヘッドが、
前記ステムの上端に嵌着される押下筒部と、
前記押下筒部から前方に向けて突出すると共に前方に向けて開口する吐出孔が形成されたノズル筒部と、を備え、
前記ノズル筒部には、該ノズル筒部の左右両端部の外周面から径方向外方に向けて突出し、該ノズル筒部の外周面と滑らかに連設された一対のほぼ対向配置された突条部が、前後方向に延設され、
前記押下ヘッドが、前記押下筒部から前方に向けて突設されて前記ステムからの内容物が流通する流通筒部を備え、
前記ノズル筒部が、前記流通筒部に前後方向にスライド移動自在に装着され、
前記ノズル筒部及び前記流通筒部それぞれには、前記ノズル筒部が前記流通筒部に対して前進端位置に移動したときに互いに係合することによって、前記ノズル筒部のこれ以上の前進移動を規制するストッパ部が各別に配設され、
前記吐出機構及び前記押下ヘッドを備える吐出器本体に着脱自在に装着されると共に前記押下ヘッドの下降移動を規制するカバー体をさらに備え、
前記吐出器本体が、内容物が収容された容器本体の口部に装着される有頂筒状の装着キャップを備えると共に、前記吐出機構が、前記ステムが前記装着キャップの天壁部を上下方向に貫くように配設され、
前記カバー体が、前記吐出器本体のうち、前記装着キャップの前記天壁部よりも上方に位置する上側部分を囲む筒状をなし、下端が前記装着キャップの前記天壁部上に配置され、かつ、上下方向に延在して後方に向けて開口すると共に前記上側部分が後方に向けて通過可能な通過開口部を有し、
前記カバー体には、前記ノズル筒部に離脱自在に係合し、該カバー体の前記吐出器本体に対する相対的な前進移動に伴って前記ノズル筒部を前記流通筒部に対して前進移動させる係合部が配設されていることを特徴とする吐出器。
【請求項２】
前記突条部における前後方向の中間部には、平面視で径方向内方に向けて円弧状をなして窪む凹部が形成されていることを特徴とする請求項１に記載の吐出器。
【発明の詳細な説明】
【技術分野】
【０００１】
本発明は、吐出器に関する。
【背景技術】
【０００２】
従来から、吐出器として、上方付勢状態で下方移動可能に立設されたステムを有する吐出機構と、ステムに装着される押下ヘッドと、を備え、この押下ヘッドがステムの上端に嵌着される押下筒部と、押下筒部から前方に向けて突出すると共に前方に向けて開口する吐出孔が形成されたノズル筒部と、を有する、吐出器が提案されている（例えば、特許文献１参照）。
このような吐出器では、吐出口が口内を向くようにノズル筒部をくわえた状態で、押下ヘッドを押下して内容物を口内に吐出させるように使用される場合がある。
【先行技術文献】
【特許文献】
【０００３】
【特許文献１】実用新案登録第２５６３４４２号公報
【発明の概要】
【発明が解決しようとする課題】
【０００４】
しかしながら、従来の吐出器では、口内に吐出した内容物が、口尻とノズル筒部の外周面との間隙を通って漏れるおそれがあった。
【０００５】
本発明は、前述の課題に鑑みてなされたもので、口内に吐出した内容物の漏出を抑制できる吐出器を提供することを目的とする。
【課題を解決するための手段】
【０００６】
本発明は、上記のような課題を解決するために以下のような手段を採用した。すなわち、本発明の吐出器は、上方付勢状態で下方移動可能に立設されたステムを有する吐出機構と、前記ステムに装着される押下ヘッドと、を備える吐出器であって、前記押下ヘッドが、前記ステムの上端に嵌着される押下筒部と、前記押下筒部から前方に向けて突出すると共に前方に向けて開口する吐出孔が形成されたノズル筒部と、を備え、前記ノズル筒部には、該ノズル筒部の左右両端部の外周面から径方向外方に向けて突出し、該ノズル筒部の外周面と滑らかに連設された一対のほぼ対向配置された突条部が、前後方向に延設され、前記押下ヘッドが、前記押下筒部から前方に向けて突設されて前記ステムからの内容物が流通する流通筒部を備え、前記ノズル筒部が、前記流通筒部に前後方向にスライド移動自在に装着され、前記ノズル筒部及び前記流通筒部それぞれには、前記ノズル筒部が前記流通筒部に対して前進端位置に移動したときに互いに係合することによって、前記ノズル筒部のこれ以上の前進移動を規制するストッパ部が各別に配設され、前記吐出機構及び前記押下ヘッドを備える吐出器本体に着脱自在に装着されると共に前記押下ヘッドの下降移動を規制するカバー体をさらに備え、前記吐出器本体が、内容物が収容された容器本体の口部に装着される有頂筒状の装着キャップを備えると共に、前記吐出機構が、前記ステムが前記装着キャップの天壁部を上下方向に貫くように配設され、前記カバー体が、前記吐出器本体のうち、前記装着キャップの前記天壁部よりも上方に位置する上側部分を囲む筒状をなし、下端が前記装着キャップの前記天壁部上に配置され、かつ、上下方向に延在して後方に向けて開口すると共に前記上側部分が後方に向けて通過可能な通過開口部を有し、前記カバー体には、前記ノズル筒部に離脱自在に係合し、該カバー体の前記吐出器本体に対する相対的な前進移動に伴って前記ノズル筒部を前記流通筒部に対して前進移動させる係合部が配設されている。
【０００７】
この発明では、ノズル筒部に一対の突条部を配設することにより、吐出孔を口内に向けた状態でノズル筒部をくわえたときに、一対の突条部を口尻で隙間なく密接に挟み込みやすくなる。これにより、口尻とノズル筒部の外周面との間を通って口の内部と外部とが連通することを抑制でき、吐出孔から口内に吐出した内容物が口の外部に漏れ出ることを防止できる。
また、ノズル筒部が流通筒部に対して前後方向でスライド移動自在とすることによって、使用時にノズル筒部を流通筒部に対して前進移動させると、吐出孔を口内の口先側から奥に位置させやすくなる。これにより、内容物が口の外部に漏れ出ることをよりいっそう防止できる。また、吐出器の流通段階や待機状態においてノズル筒部を流通筒部に対して後退移動させることにより、吐出器をコンパクトにすることができる。
さらに、ストッパ部が配設されており、ノズル筒部が流通筒部から前方に抜けることを防止するので、使用時の操作性を悪化させることなく流通段階や待機状態において吐出器をコンパクトにすることができる。
その上、カバー体を備えることによって、流通段階や待機状態において、吐出器に不意に加えられた外力によってステムが押し下げられて内容物が吐出孔から吐出されることを防止できる。
また、カバー体に係合部を設けることで、係合部をノズル筒部に係合させた状態でカバー体を吐出器本体に対して前後方向に移動させて着脱すると、ノズル筒部が流通筒部に対して前後方向にスライド移動される。これにより、カバー体を吐出器本体から離脱させると同時にノズル筒部を流通筒部から前方に引き出し、また、カバー体を吐出器本体に取り付けると同時にノズル筒部を流通筒部に対して後方に引き込ませることができるので、操作性がよりいっそう向上する。
さらに、カバー体の着脱に伴ってノズル筒部のスライド移動が行えるので、口内に入れる部分に直接指が触れず、衛生的である。また、カバー体の装着時に係合部が吐出孔に係合している場合には、内容物がノズル筒部内に残留しても、携帯時に残留した内容物が外部に漏れ出ることを防止できる。
【０００８】
また、本発明の吐出器では、前記突条部における前後方向の中間部には、平面視で径方向内方に向けて円弧状をなして窪む凹部が形成されていてもよい。
この場合では、突条部に凹部を形成しているので、この凹部に口尻が位置するようにノズル筒部をくわえることによって、凹部に口尻を無理なく添えやすくなる。これにより、吐出孔から口内に吐出した内容物が口の外部に漏れ出ることをより確実に防止できる。
【発明の効果】
【００１１】
この発明にかかる吐出器によれば、一対の突条部を口尻で隙間なく密接に挟み込みやすくなるので、吐出孔から口内に吐出した内容物が口の外部に漏れ出ることを防止できる。
【図面の簡単な説明】
【００１２】
【図１】本発明の一実施形態における吐出器を示す軸方向断面図である。
【図２】カバー体を取り外した状態における図１の吐出器を示す側面図である。
【図３】図１のＡ−Ａ矢視断面図である。
【図４】図１のノズル筒部を示す斜視図である。
【図５】図１のカバー体を示す軸方向断面図である。
【図６】図５のカバー体を示す側面図である。
【図７】図６のＢ−Ｂ矢視断面図である。
【図８】図１の吐出器の使用状態を示す軸方向断面図である。
【図９】同じく、図１の吐出器の使用状態を示す軸方向断面図である。
【図１０】図９のＣ−Ｃ矢視断面図である。
【図１１】本発明を適用可能な他のノズル筒部を示す斜視図である。
【発明を実施するための形態】
【００１３】
以下、本発明における吐出器の一実施形態を、図面に基づいて説明する。なお、以下の説明に用いる各図面では、各部材を認識可能な大きさとするために縮尺を適宜変更している。
【００１４】
本実施形態における吐出器１は、図１から図３に示すように、内容物を収容する有底円筒状の容器体２の口部２Ａに装着される吐出器本体３と、吐出器本体３に着脱自在に装着されるカバー体４と、を備える。
吐出器本体３は、容器体２の口部２Ａに装着される有頂筒状の装着キャップ１１と、装着キャップ１１に上方付勢状態で下方移動可能に貫設された円筒状のステム２５を有するポンプ（吐出機構）１２と、ステム２５の上端に装着される押下ヘッド１３と、を備える。
ここで、容器体２、装着キャップ１１及びステム２５それぞれの中心軸は、共通軸上に位置している。以下、この共通軸を容器軸Ｏと称し、容器軸Ｏに沿って容器体２側を下側、その反対側を上側と称する。また、容器軸Ｏに直交する方向を径方向と称し、容器軸Ｏ回りに周回する方向を周方向と称する。
【００１５】
装着キャップ１１は、中央部に円形の開口部が形成された天壁部２１と、天壁部２１の外周縁部から下方に向けて延設された装着筒部２２と、天壁部２１に上記開口部と同軸に配設されると共に上方に向けて延設された案内筒部２３と、を備える。装着筒部２２の内周面には、容器体２の口部２Ａの外周面に形成された雄ネジ部に螺合する雌ネジ部が形成されている。
【００１６】
ポンプ１２は、上記ステム２５と、内部にステム２５の下部が上下動自在に配設されたシリンダ２６と、シリンダ２６の内部に上下摺動自在に配設されたピストン部材（図示略）と、ステム２５を上方に向けて付勢する付勢部材（図示略）と、を備える。
ステム２５の上部は、シリンダ２６の上端から上方に突出し、装着キャップ１１の案内筒部２３内に配設されており、この上部の上端部は、案内筒部２３の上端から上方に突出している。
シリンダ２６は、円筒状をなしており、容器軸Ｏと同軸に配設されている。シリンダ２６の上端には、全周にわたってフランジ部２６Ａが径方向外方に向けて突設されており、このフランジ部２６Ａは、装着キャップ１１の天壁部２１の下面と容器体２の口部２Ａの開口端縁上のパッキン２７とにより上下方向で挟み込まれている。シリンダ２６の下端部内には、パイプ２８の上端部が嵌合されており、このパイプ２８の下端開口部は、容器体２内の底部に位置している。
【００１７】
押下ヘッド１３は、板状の頂壁部３１と、頂壁部３１から下方に向けて延設された円筒状の押下筒部３２と、頂壁部３１の外周縁から下方に向けて延設されて押下筒部３２を径方向外側から囲繞する円筒状の囲繞筒部３３と、押下筒部３２から径方向外方に向けて突設されて内容物が流通する円筒状の流通筒部３４と、流通筒部３４に対してスライド移動自在に装着された円筒状のノズル筒部３５と、を備える。
ここで、流通筒部３４及びノズル筒部３５それぞれの中心軸は、共通軸上に位置している。以下、この共通軸をノズル軸Ｏ’と称し、ノズル軸Ｏ’に沿う流通筒部３４の先端側を前側、流通筒部３４の基端側を後側と称する。また、ノズル軸Ｏ’に直交する方向を径方向（ノズル径方向）と称し、特に、容器軸Ｏ及びノズル軸Ｏ’双方に直交する方向を左右方向と称する。
【００１８】
また、押下ヘッド１３には、前方及び上方の双方向に開口する陥凹部１３Ａが形成されており、この陥凹部１３Ａは、頂壁部３１から下方に向けて延設された垂直壁部３６と、垂直壁部３６の下端縁から前方に向けて延設された水平壁部３７と、によって画成されている。
【００１９】
垂直壁部３６は、前後方向から見て矩形状をなしており、垂直壁部３６には、押下筒部３２の内側と流通筒部３４の内側とを連通させる連通開口部３６Ａが形成されている。連通開口部３６Ａの内側には、垂直壁部３６よりも前方に向けて突出する円柱状の嵌合突出部３８が配設されている。この嵌合突出部３８は、ノズル軸Ｏ’と同軸に配設されており、嵌合突出部３８の後端部と連通開口部３６Ａの開口縁部とは、容器軸Ｏ回りで間隔をあけて配設されたブリッジ部３９によって接続されている。
水平壁部３７は、平面視半円状をなしており、垂直壁部３６の下端縁と囲繞筒部３３の前方側の上端縁とを接続している。
【００２０】
頂壁部３１は、平面視において半円状をなしている。
押下筒部３２及び囲繞筒部３３は、容器軸Ｏと同軸に配設されている。また、押下筒部３２内には、ステム２５の上端部が嵌合されており、押下筒部３２内とステム２５内とは、連通している。
囲繞筒部３３の下端縁は、装着キャップ１１の天壁部２１と上下方向で向かい合っている。また、囲繞筒部３３の内径は、案内筒部２３の外径よりも大きくなっており、囲繞筒部３３の下端部は、案内筒部２３の上端部を径方向外側から囲繞している。そのため、案内筒部２３は、押下ヘッド１３の上下動に伴って囲繞筒部３３の内側に下側から進退移動する。
【００２１】
流通筒部３４は、垂直壁部３６から前方に向けて突設されており、流通筒部３４の前端部には、外方に突出する第１ストッパ部（ストッパ部）３４Ａが全周にわたって形成されている。さらに、流通筒部３４の前端部のうち、第１ストッパ部３４Ａよりも後方における左右方向の両端部には、外方に突出する一対の案内突出部３４Ｂが形成されている。
【００２２】
ノズル筒部３５は、図１から図４に示すように、筒状の外筒部４１と、外筒部４１と同軸に配設された円筒状の内筒部４２と、外筒部４１の前端と内筒部４２の前端とを接続する円環状の接続壁部４３と、外筒部４１の後端部に配設された板状の後壁部４４と、後壁部４４の上端縁から後方に延設された延設板部４５と、を有する。
外筒部４１には、左右方向の両端部から左右方向の外方に向けて突出する一対の突条部４１Ａが形成されている。一対の突条部４１Ａは、外筒部４１と滑らかに連設されており、外筒部４１の前後方向の全長にわたって延設されている。突条部４１Ａを含む外筒部４１の外周面における上下方向の幅は、左右方向の中間部から外方に向かうにしたがって漸次小さくなっている。本実施形態では、外筒部４１のうちノズル軸Ｏ’よりも上側に位置する部分の外周面は、左右方向の中間部において上方に向けて突出するように湾曲すると共に、この中間部から左右方向の外方に向かうにしたがって下方に向けて窪むように湾曲する滑らかな曲面となっている。同様に、外筒部４１のうちノズル軸Ｏ’よりも下側に位置する部分の外周面は、左右方向の中間部において下方に向けて突出するように湾曲すると共に、この中間部から左右方向の外方に向かうにしたがって上方に向けて窪むように湾曲する滑らかな曲面となっている。このように、突条部４１Ａを含む外筒部４１の外周面形状は、ノズル筒部３５をくわえる口の形状に合わせられている。なお、外筒部４１の後端は、垂直壁部３６に当接または近接している。
【００２３】
一対の突条部４１Ａそれぞれにおける前後方向の中間部（本実施形態では前端部側）には、平面視で左右方向の内側に向けて窪む円弧状の凹部４１Ｂが形成されている。
また、外筒部４１の左右方向の内縁部は、前端から前後方向の中間部にわたって左右方向の内方に突出しており、この突出部分には、図２及び図３に示すように、左右方向の内方に窪む第１案内溝部４１Ｃが前後方向の全長にわたって形成されている。第１案内溝部４１Ｃ内には、流通筒部３４の案内突出部３４Ｂが前後方向で移動自在に配設されており、流通筒部３４に対するノズル筒部３５の前後方向のスライド移動を案内する。
さらに、外筒部４１の後端部には、図１及び図３に示すように、内方に突出して流通筒部３４の第１ストッパ部３４Ａと係合する第２ストッパ部（ストッパ部）４１Ｄが全周にわたって形成されている。
【００２４】
内筒部４２の前端開口部は、図１から図４に示すように、吐出孔４２Ａとされており、内筒部４２は、流通筒部３４内に摺接している。また、内筒部４２の後端部内には、嵌合突出部３８が嵌め込まれている。
後壁部４４は、垂直壁部３６に近接または当接している。
延設板部４５は、平面視において半円状をなしており、押下ヘッド１３の頂壁部３１上に摺接または近接している。
【００２５】
カバー体４は、図１、図３及び図５から図７に示すように、吐出器本体３のうち、装着キャップ１１の天壁部２１よりも上方に位置する上側部分を囲む筒状をなしている。そして、カバー体４は、有頂筒状のカバー本体部５１と、カバー本体部５１から前方に突設された円筒状のノズルカバー部５２と、を備える。
【００２６】
カバー本体部５１は、押下ヘッド１３を上方から覆う上壁部５３と、上壁部５３から下方に延設されて吐出器本体３の上記上側部分を径方向外側から覆う周壁部５４と、を有する。
上壁部５３は、平面視で円状をなしており、押下ヘッド１３の頂壁部３１を上方から全域にわたって覆っている。また、上壁部５３と頂壁部３１との間には、間隙が設けられている。
周壁部５４は、容器軸Ｏと同軸に配設されると共に上壁部５３の外周縁から下方に延在している。また、本実施形態では、周壁部５４内に吐出器本体３の上記上側部分を嵌め込むことによってカバー体４を上記上側部分に装着する。
【００２７】
また、周壁部５４には、上下方向にわたって延在して後方に開口する通過開口部５４Ａが形成されており、周壁部５４は、平面視Ｃ字状をなしている。これにより、カバー体４及び吐出器本体３の前後方向に沿う相対的な進退移動に伴って、上記上側部分は、通過開口部５４Ａが左右方向に拡幅するように周壁部５４を弾性変形させながら通過開口部５４Ａを後方に通過することで、周壁部５４内に対して嵌合及び離脱され、カバー体４に対して着脱される。
さらに、周壁部５４の上端部において通過開口部５４Ａに周方向で隣接する部分には、上下方向に延在する切欠部５４Ｂが形成されている。切欠部５４Ｂの上端は、上下方向において周壁部５４の上端と一致し、切欠部５４Ｂの下端は、押下ヘッド１３の囲繞筒部３３の下端よりも上側に位置している。これにより、周壁部５４の周方向両端部が弾性変形しやすくなる。
【００２８】
周壁部５４の下端は、装着キャップ１１の天壁部２１上に配設されている。また、周壁部５４の上下方向の中間部には、径方向内方に突出する規制突出部５４Ｃが周方向に延設されており、周壁部５４の下端と規制突出部５４Ｃとの間には、上下方向にわたって延在する補強リブ部５４Ｄが形成されている。規制突出部５４Ｃは、囲繞筒部３３の下端縁に囲繞筒部３３の下側から近接または当接している。そのため、周壁部５４は、押下ヘッド１３の下方への移動を規制している。
【００２９】
ノズルカバー部５２は、流通筒部３４及びノズル筒部３５を外側から覆っており、接続壁部４３を前方から覆う前壁部５５と、前壁部５５から後方に延設されてノズル筒部３５の外筒部４１を外側から覆う被覆筒部５６と、を有する。
前壁部５５は、円板状をなしており、接続壁部４３を前方から全域にわたって覆っている。また、前壁部５５の中央部には、内筒部４２の内側に嵌合して吐出孔４２Ａを閉塞する栓筒部（係合部）５５Ａが後方に向けて突設されている。
【００３０】
被覆筒部５６は、外筒部４１の外周面と同様の内周面形状及び外周面形状を有しており、押下ヘッド１３の外筒部４１を外方から覆っている。そして、被覆筒部５６は、流通筒部３４及びノズル筒部３５と同軸に配設されると共に前壁部５５の外周縁部から後方に延在している。また、被覆筒部５６には、外筒部４１の突条部４１Ａを前後方向で案内する第２案内溝部５６Ａが前後方向の全長にわたって形成されており、この第２案内溝部５６Ａには、突条部４１Ａの凹部４１Ｂと係合する係合突出部５６Ｂが左右方向の内方に突設されている。
【００３１】
次に、以上のような構成の吐出器１による内容物の吐出方法について説明する。
まず、例えばカバー体４の周壁部５４を指などで保持し、カバー体４を吐出器本体３に対して前方に引き出す。カバー体４を引き出していくと、周壁部５４は、通過開口部５４Ａが周方向に拡大するように弾性変形しながら、案内筒部２３及び囲繞筒部３３の外周面に摺接しつつこの外周面に沿って案内される。そして、吐出器本体３のうち上記上側部分は、カバー体４に対してこの通過開口部５４Ａを後方に通過する（図８参照）。
【００３２】
また、カバー体４を引き出していくと、カバー体４の前壁部５５に突設された栓筒部５５Ａがノズル筒部３５の内筒部４２の内側に係合していると共に被覆筒部５６に形成された係合突出部５６Ｂが突条部４１Ａに形成された凹部４１Ｂに係合しているため、カバー体４の前方への移動に伴ってノズル筒部３５が流通筒部３４に対して前方にスライド移動しながら引き出されていく。
ノズル筒部３５が流通筒部３４に対して前方に引き出され、ノズル筒部３５が流通筒部３４に対して前進端位置に到達すると、ノズル筒部３５の外筒部４１に形成された第２ストッパ部４１Ｄと流通筒部３４に形成された第１ストッパ部３４Ａとは、互いに係合し、ノズル筒部３５が流通筒部３４に対してこれ以上前進移動することを規制する。なお、流通筒部３４の案内突出部３４Ｂがノズル筒部３５の外筒部４１に形成された第１案内溝部４１Ｃ内でスライド移動するため、ノズル筒部３５は、流通筒部３４に対してノズル軸Ｏ’回りで回転することなく安定して引き出される。
【００３３】
その後、カバー体４をさらに引き出していくと、ノズル筒部３５の流通筒部３４に対する前進移動が規制されているため、前壁部５５の栓筒部５５Ａの内筒部４２に対する係合と係合突出部５６Ｂの凹部４１Ｂに対する係合とが解除され、カバー体４が取り外される（図９及び図１０参照）。なお、外筒部４１の突条部４１Ａが被覆筒部５６に形成された第２案内溝部５６Ａ内でスライド移動するため、カバー体４は、ノズル筒部３５をノズル軸Ｏ’回りで回転させることなく安定して引き出される。これにより、吐出孔４２Ａが開放される。
以上のようにして、カバー体４を取り外すと、ノズル筒部３５は、流通筒部３４に対して前進端位置に到達する。
【００３４】
このようにノズル筒部３５を流通筒部３４に対して前進端位置に到達させた状態で、吐出孔４２Ａを口内に向けた状態でこのノズル筒部３５をくわえる。このとき、ノズル筒部３５の左右両端部に一対の突条部４１Ａが対向配置されており、この突条部４１Ａの前後方向の中間部に凹部４１Ｂが形成されているので、口尻とノズル筒部３５との間に隙間が形成されない。
【００３５】
この状態で押下ヘッド１３を押し下げると、ステム２５が下方に移動させられる。そして、ステム２５の移動に追従して上記ピストン部材がシリンダ２６の内周面に摺接しつつ下方に移動する。これにより、シリンダ２６内の内容物が圧縮され、この圧縮されたシリンダ２６内の内容物は、ステム２５内に進入してステム２５内を上方に移動し、押下ヘッド１３内に流入する。そして、内容物は、押下筒部３２内から流通筒部３４内を通ってノズル筒部３５の内筒部４２内に流入し、吐出孔４２Ａから吐出される。このとき、口尻とノズル筒部３５の外周面との間を通って口の内部と外部とが連通することが抑制されるので、吐出孔４２Ａから口内に吐出された内容物が口の外部に漏れ出るのが防止される。
【００３６】
その後、押下ヘッド１３の押し下げを解除すると、上記ピストン部材が上記付勢部材の上方付勢力によってシリンダ２６の内周面に摺接しつつ上方に復元移動する。これにより、シリンダ２６内が減圧され、容器体２内に収容されている内容物がパイプ２８を通じてシリンダ２６内に吸い上げられる。
【００３７】
カバー体４を吐出器本体３の上記上側部分に取り付ける場合には、上述と逆の手順を行う。すなわち、例えばカバー体４の周壁部５４を指などで保持し、カバー体４を吐出器本体３に対して後方に押し込む。ここでは、カバー体４の前壁部５５に突設された栓筒部５５Ａとノズル筒部３５の内筒部４２とを位置合わせすると共に外筒部４１の突条部４１Ａと被覆筒部５６に形成された第２案内溝部５６Ａとを位置合わせした状態で、カバー体４を押し込む。
カバー体４を押し込んでいくと、周壁部５４は、通過開口部５４Ａが周方向に拡大するように弾性変形しながら案内筒部２３及び囲繞筒部３３の外周面に摺接しつつこの外周面に沿って案内される。そして、吐出器本体３のうち上記上側部分は、カバー体４に対して通過開口部５４Ａを前方に通過し、周壁部５４内に対して嵌合され、カバー体４に対して取り付けられる。
【００３８】
また、カバー体４を押し込んでいくと、栓筒部５５Ａと内筒部４２とが係合し、カバー体４の後方への移動に伴ってノズル筒部３５が流通筒部３４に対して後方にスライド移動しながら押し込まれていく。ノズル筒部３５が流通筒部３４に対して後退端に到達すると、ノズル筒部３５の外筒部４１の後端（及び後壁部４４）が押下ヘッド１３の垂直壁部３６に当接し、また、内筒部４２の後端部の内側に嵌合突出部３８が嵌め込まれ、ノズル筒部３５が流通筒部３４に対してこれ以上後退移動することを規制する。
以上のようにして、カバー体４を取り付けると、ノズル筒部３５は、流通筒部３４に対して後退端位置に到達する。
【００３９】
このようにカバー体４を取り付けた状態、すなわち販売前の流通、保管時もしくは販売陳列時、または購入者による内容物の使用後の保管時などでは、カバー体４の上壁部５３が押下ヘッド１３の頂壁部３１の全域を上方から覆っているので、押下ヘッド１３に外力が加わりにくくなる。また、カバー体４の上壁部５３に外力が加わった場合であっても、周壁部５４の下端が装着キャップ１１の天壁部２１に近接または当接しているので、カバー体４の下方への移動が規制される。そのため、押下ヘッド１３に対して押下ヘッド１３を押し下げようとする外力が加わりにくくなる。さらに、押下ヘッド１３に押下ヘッドを押し下げようとする外力が加わった場合であっても、周壁部５４の規制突出部５４Ｃが囲繞筒部３３の下端縁に下側から近接または当接しているので、押下ヘッド１３の下方への移動が規制される。そのため、押下ヘッド１３が押し下げられることを防止する。
【００４０】
以上のような構成の吐出器１によれば、一対の突条部４１Ａにより口尻で隙間なく密接に挟み込みやすくなると共に、凹部４１Ｂに口尻を添えやすくなっているので、吐出孔４２Ａから口内に吐出した内容物が口の外部に漏出することを防止できる。
また、ノズル筒部３５を流通筒部３４に対して前進移動させることによって吐出孔４２Ａを口内の奥に位置付けやすくなるので、内容物が口の外部により漏出しにくくなる。さらに、ノズル筒部３５を流通筒部３４に対して後退移動させることによって、流通段階や待機状態のように使用しない状態において吐出器１をコンパクト化することができる。ここで、第１及び第２ストッパ部３４Ａ、４１Ｄを配設することで、使用時にノズル筒部３５が流通筒部３４から前方に離脱することを防止するので、使用時の操作性を悪化させずに吐出器１をコンパクト化することができる。
さらに、カバー体４を備えることで、流通段階や待機状態において押下ヘッド１３に不意に外力がかかって内容物が吐出されることを防止できる。また、カバー体４の吐出器本体３に対する前後移動に伴ってノズル筒部３５を流通筒部３４に対して前後方向でスライド移動させることができるので、操作性がさらに向上する。ここで、ノズル筒部３５に直接指が触れることなくカバー体４の着脱に伴ってノズル筒部３５をスライド移動させることができるので、衛生的である。また、栓筒部５５Ａが吐出孔４２Ａに係合するので、使用後に内容物がノズル筒部３５内に残留していても、残留した内容物が携帯時に外部に漏れ出ることを防止できる。
【００４１】
なお、本実施形態では、図４に示すように、ノズル筒部３５が後壁部４４及び延設板部４５を有しているが、例えば図１１に示すノズル筒部１００のように、外筒部１０１を短縮すると共に後壁部４４及び延設板部４５を設けない構成としてもよい。これにより、ノズル筒部１００の構成が簡略化される。
【００４２】
なお、本発明は上記実施形態に限定されるものではなく、本発明の趣旨を逸脱しない範囲において種々の変更を加えることができる。
例えば、ノズル筒部の外筒部の形状は、一対の突条部を有していれば、他の形状であってもよい。ここで、ノズル筒部の延在方向は、容器体の接地面と平行方向である前後方向に対して傾斜してもよい。また、一対の突条部の突出方向は、容器体の接地面と平行方向である左右方向に限らず、左右方向に対して傾斜してもよく、一対の突条部の延在方向は、ノズル軸に対して傾斜してもよい。さらに、突条部は厳密に対向位置に配置されていなくてもよく、縦断面でハの字状にするなど、ノズル筒部をくわえる口の形状に合わせて構成することができる。
ノズル筒部は、外筒部及び内筒部を有する二重筒状をなしているが、外筒部のみを有する構成など、他の構成であってもよい。
突条部の前後方向の中間部には、凹部が形成されているが、凹部を形成しなくてもよい。また、突条部は、外筒部の前後方向の全長にわたって形成されているが、前後方向の一部に形成されてもよい。
カバー体には、上壁部及び規制突出部が設けられているが、上壁部及び規制突出部のいずれか一方のみが設けられている構成としてもよい。また、上壁部及び規制突出部の双方を設けずにカバー体の前方への引き出しに伴ってノズル筒部を前方に引き出す構成としてもよい。この場合、カバー体の周壁部の下端は、装着キャップの天壁部上に配置しなくてもよい。
さらに、係合部としてカバー体の前壁部にノズル筒部の内筒部と係合する栓筒部を突設しているが、カバー体の引き出しに伴ってノズル筒部を引き出せれば、栓筒部に限らず、他の構成としてもよい。
吐出器本体は、吐出ポンプの構成となっているが、いわゆるエアゾール機構など、他の構造であってもよい。
【産業上の利用可能性】
【００４３】
この発明によれば、口内に吐出した内容物の漏出を抑制できる吐出器に関して、産業上の利用可能性が認められる。
【符号の説明】
【００４４】
１  吐出器、２  容器体、２Ａ  口部、３  吐出器本体、４  カバー体、１１  装着キャップ、１２  ポンプ（吐出機構）、１３  押下ヘッド、２１  天壁部、２５  ステム、３２  押下筒部、３４  流通筒部、３４Ａ  第１ストッパ部（ストッパ部）、３５，１００  ノズル筒部、４１Ａ  突条部、４１Ｂ  凹部、４１Ｄ  第２ストッパ部（ストッパ部）、４２Ａ  吐出孔、５４Ａ  通過開口部、５５Ａ  栓筒部（係合部）、５６  被覆筒部
【図１】
0005898903.tif 000002
【図２】
0005898903.tif 000003
【図３】
0005898903.tif 000004
【図４】
0005898903.tif 000005
【図５】
0005898903.tif 000006
【図６】
0005898903.tif 000007
【図７】
0005898903.tif 000008
【図８】
0005898903.tif 000009
【図９】
0005898903.tif 000010
【図１０】
0005898903.tif 000011
【図１１】
0005898903.tif 000012